(57)【要約】【課題】放送波の電界強度が変わった場合でも、装置構成を大幅に変えることなく簡易な装置構成により所望の信号を受信すること。【解決手段】放送波受信装置１０は、放送信号受信用の第１のアンテナ２１と、受信した放送信号を増幅する増幅器２２と、前記増幅器２２で増幅された信号が入力されるチューナ２４と、前記第１のアンテナ２１、前記増幅器２２及び前記チューナ２４が設置される収納部１１と、外部設置用の第２のアンテナ２５が取り付け可能な外部アンテナ用端子２６と、を備え、当該外部アンテナ用端子２６に前記第２のアンテナ２５が取り付けられた場合、前記第２のアンテナ２５が受信する放送信号が前記増幅器２２に入力される。【選択図】図１
2010057065.tif 000002
【特許請求の範囲】
【請求項１】
放送信号受信用の第１のアンテナと、受信した放送信号を増幅する増幅器と、前記増幅器で増幅された信号が入力されるチューナと、前記第１のアンテナ、前記増幅器及び前記チューナが設置される収納部と、外部設置用の第２のアンテナが取り付け可能な外部アンテナ用端子と、を備え、当該外部アンテナ用端子に前記第２のアンテナが取り付けられた場合、前記第２のアンテナが受信する放送信号が前記増幅器に入力されることを特徴とする放送波受信装置。
【請求項２】
前記第２のアンテナで放送信号を受信する場合、前記チューナにおける不要な周波数信号が前記チューナに流入しないように前記第１のアンテナを制御することを特徴とする請求項１に記載の放送波受信装置。
【請求項３】
前記第１のアンテナで放送信号を受信する場合、当該第１のアンテナは受信する信号の周波数に同調されると共に、
前記第２のアンテナで放送信号を受信する場合、前記第１のアンテナは前記不要な信号周波数に同調されることを特徴とする請求項２に記載の放送波受信装置。
【請求項４】
前記不要な信号周波数は、受信する信号の周波数に対するイメージ周波数であることを特徴とする請求項２または請求項３に記載の放送波受信装置。
【請求項５】
前記第１のアンテナは、可変容量素子とインダクタ素子とを備えた同調回路を有することを特徴とする請求項１から請求項４のいずれかに記載の放送波受信装置。
【請求項６】
前記第１のアンテナで放送信号を受信する場合には、前記第２のアンテナは前記増幅器と非接続とすることを特徴とする請求項１から請求項５のいずれかに記載の放送波受信装置。
【発明の詳細な説明】
【技術分野】
【０００１】
本発明は、テレビジョン放送等の放送信号を受信する放送波受信装置に関する。
【背景技術】
【０００２】
一般的に、放送波の電界強度が強い場所では、簡易的に設置可能な屋内アンテナを用いて地上波放送信号を受信することが多い。図６は、屋内アンテナを用いて地上波放送信号を受信する受信装置の模式図である。この受信装置１は、屋内に設置される増幅器（ＬＮＡ：Low  Noise  Amplifier）２２付きのアンテナ装置２と、ケーブル５を介してアンテナ装置２に接続されると共にＬＮＡ３０１及びトラッキングフィルタ３０２を有するテレビジョンチューナ（ＳＴＢ）３と、テレビジョンチューナ３に接続される表示装置４とを備えている。アンテナ装置２及びテレビジョンチューナ３には、それぞれブースター用電源６及びチューナ用電源７から駆動電圧が供給されている。このような受信装置の中には、金属の筐体内部にアンテナ装置及びテレビジョンチューナを収容して、さらに簡易な構成にしたものもある（特許文献１）。
【０００３】
一方、放送波の電界強度が弱い場所では、上記屋内アンテナの代わりに屋外アンテナを設置して、地上波放送信号を受信することが多い。図７は、屋外アンテナを用いて地上波放送信号を受信する受信装置の模式図である。この受信装置１では、屋外に増幅器２２付きアンテナ装置２ａが設置され、当該アンテナ装置２ａにケーブル５ａを介してテレビジョンチューナ３が接続されると共に、ブースター用電源６から駆動電圧が供給されている。
【特許文献１】特開２００６−３４５２３８号公報
【発明の開示】
【発明が解決しようとする課題】
【０００４】
しかしながら、従来の受信装置においては、放送波の電界強度が強い場所と弱い場所とでアンテナ装置２，２ａの設置場所が異なるため、電界強度が変化した場合にはアンテナ装置２，２ａの設置場所を変えると共に、これに伴って信号経路となるケーブルや駆動電圧を供給する電源供給ライン８等の接続を変える必要がある。この場合、屋外及び屋内の双方にアンテナ装置２，２ａを設ける構成も考えられるが、ケーブルや電源供給ライン８がアンテナ数分だけ必要となるので、部品点数が増加すると共に装置構成が複雑化する問題がある。
【０００５】
本発明は、かかる点に鑑みてなされたものであり、放送波の電界強度が変わった場合でも、装置構成を大幅に変えることなく簡易な装置構成により所望の放送信号を受信することができる放送波受信装置を提供することを目的とする。
【課題を解決するための手段】
【０００６】
本発明の放送波受信装置は、放送信号受信用の第１のアンテナと、受信した放送信号を増幅する増幅器と、前記増幅器で増幅された信号が入力されるチューナと、前記第１のアンテナ、前記増幅器及び前記チューナが設置される収納部と、外部設置用の第２のアンテナが取り付け可能な外部アンテナ用端子と、を備え、当該外部アンテナ用端子に前記第２のアンテナが取り付けられた場合、前記第２のアンテナが受信する放送信号が前記増幅器に入力されることを特徴とする。
【０００７】
この構成によれば、収納部に第１のアンテナ、増幅器及びチューナが設置されると共に、外部設置用の第２のアンテナが取り付け可能な外部アンテナ用端子が設けられているので、放送波の電界強度が強い場所でも弱い場所でも、装置構成を大幅に変える必要なく、簡易な装置構成により所望の放送信号を受信することができる。また、従来の受信装置と比べて、アンテナ及びチューナにそれぞれ設けられるＬＮＡやアンテナ及びチューナを接続するケーブル等の部品点数を削減することができる。
【０００８】
また、本発明は、上記放送波受信装置において、前記第２のアンテナで放送信号を受信する場合、前記チューナにおける不要な周波数信号が前記チューナに流入しないように前記第１のアンテナを制御することが好ましい。
【０００９】
この構成によれば、第２のアンテナで放送信号を受信する場合には、不要な周波数信号がチューナに流入しないように第１のアンテナが制御されるので、チューナでは第２のアンテナから所望の放送信号を確実に受信することができる。
【００１０】
また、本発明は、上記放送波受信装置において、前記第１のアンテナで放送信号を受信する場合、当該第１のアンテナは受信する信号の周波数に同調されると共に、前記第２のアンテナで放送信号を受信する場合、前記第１のアンテナは前記不要な信号周波数に同調されることが好ましい。
【００１１】
この構成によれば、第１のアンテナで放送信号を受信する場合には当該第１のアンテナが受信する信号の周波数に同調されるので所望の周波数帯域の放送信号を受信することができる一方、第２のアンテナで放送信号を受信する場合には、第１のアンテナが第２のアンテナの妨害信号の信号周波数に同調されるので、第２のアンテナを介して所望の周波数帯域の放送信号を受信することができる。
【００１２】
また、本発明は、上記放送波受信装置において、前記不要な信号周波数は、受信する信号の周波数に対するイメージ周波数であることが好ましい。この場合、受信する信号の妨害周波数となるイメージ周波数が不要な信号周波数であるので、所望の放送信号を確実に受信することができる。
【００１３】
また、本発明は、上記放送波受信装置において、前記第１のアンテナは、可変容量素子とインダクタ素子とを備えた同調回路を有する。この場合、同調回路を有する第１のアンテナがトラッキングフィルタとして機能するので、従来の受信装置のようにチューナ内にトラッキングフィルタを別途設ける必要がなく、部品点数の削減が可能となる。
【００１４】
また、本発明は、上記放送波受信装置において、前記第１のアンテナで放送信号を受信する場合には、前記第２のアンテナは前記増幅器と非接続とすることが好ましい。
【００１５】
この構成によれば、放送波の電界強度が強い場合には、第２のアンテナを増幅器と非接続にして第１のアンテナで受信し、電界強度が弱い場合には、第２のアンテナを増幅器と接続して第２のアンテナで受信することができる。
【発明の効果】
【００１６】
本発明によれば、放送波の電界強度が変わった場合でも、装置構成を大幅に変えることなく簡易な装置構成により所望の放送信号を受信することができる。
【発明を実施するための最良の形態】
【００１７】
以下、図面を参照して、本発明の実施の形態について詳細に説明する。本実施の形態に係る放送波受信装置は、室内に設置されるアンテナを有する放送波受信装置であって、例えば、地上波放送用のテレビジョン信号を受信するテレビジョン信号受信装置として用いられるものである。以下、テレビジョン信号受信装置を例に説明する。
【００１８】
図１及び図２は、本発明の実施の形態に係るテレビジョン信号受信装置（以下、「受信装置」という）を概略的に示した模式図である。図１は、放送波の電界強度が弱い場合における受信装置の構成を示し、図２は放送波の電界強度が強い場合における受信装置の構成を示している。図１及び図２に示すように、受信装置１０は、セットトップボックス（ＳＴＢ）１１と、ＳＴＢ１１に接続される電源供給装置１２及び表示装置１３と、を備えており、これらは屋内に設置されている。
【００１９】
ＳＴＢ（収納部）１１は、単一の筐体で構成され、当該筐体内部に、屋内アンテナとして機能する屋内アンテナ（第１のアンテナ）２１と、アンテナ２１に接続されたＬＮＡ２２と、ケーブル２３を介してＬＮＡ２２に接続されたテレビジョンチューナ２４と、を有している。また、ＳＴＢ１１には、屋外に設置される屋外アンテナ（第２のアンテナ）２５が取り付け可能な外部アンテナ用端子としての入力端子２６が設けられている。屋外アンテナ２５の取り付けられる入力端子２６からの信号経路Ｌ１は、アンテナ２１とＬＮＡ２２との中間点Ｐに接続されている。さらに、ＳＴＢ１１には、電源端子２７が設けられており、電源ケーブル２８を介して電源供給装置１２が接続されている。電源供給装置１２からの電源電圧は、電源供給ラインＬ２を経由して、ＬＮＡ２２及びテレビジョンチューナ２４に供給される。
【００２０】
アンテナ２１は、例えば、同調周波数を可変なチューナブルアンテナで構成され、テレビジョン信号を受信してＬＮＡ２２に出力する。ＬＮＡ２２は、アンテナ２１から出力されるテレビジョン信号を所定のレベルまで増幅し、増幅後のテレビジョン信号をテレビジョンチューナ２４に出力する。ここで、屋内アンテナとしてチューナブルアンテナを用いた場合、同サイズのパッシブアンテナ等の他のアンテナと比べてゲインの向上が可能となり、ＳＴＢ１１を小型化する点でも好ましい。
【００２１】
また、アンテナ２１は、可変容量素子とインダクタ素子とを備えた同調回路を有し、所望の周波数帯域外の信号を除去するトラッキングフィルタとして機能する。これにより、従来の受信装置のようにチューナ内のトラッキングフィルタが不要となり、部品点数を削減できる。
【００２２】
図３は、一般的なチューナブルアンテナ２１の回路構成図である。同図に示すチューナブルアンテナ２１は、アンテナ素子２２１及び整合（同調）回路２２２で構成されている。整合回路２２２は、バラクタダイオード（可変容量素子）２２３，２２４及びコイル（インダクタ素子）２２５のＬＣ直列共振回路で構成されている。バラクタダイオード２２３，２２４のアノードには、後述するテレビジョンチューナ２４から共振周波数を制御するチューニング電圧（アンテナ帯域制御信号）が印加される。また、整合回路２２２の出力端には、後段のテレビジョンチューナ２４との整合をとるコイル２２６が並列に接続されている。なお、整合回路２２２の両端部は直流カットコンデンサ２２７，２２８を介してアンテナ素子２２１、ＬＮＡ２２にそれぞれ接続される。
【００２３】
テレビジョンチューナ２４は、ミキサ３１と、局部発振器３２と、復調部３３と、から主に構成されている。ミキサ３１は、ＬＮＡ２２から出力される増幅後の信号に、局部発振器３２で生成された局部発振信号を混合してベースバンド周波数信号に変換し、復調部３３に出力する。復調部３３は、ミキサ３１から出力されるベースバンド周波数信号に復調し、復調後の映像音声信号を表示装置１３に出力する。
【００２４】
また、テレビジョンチューナ２４は、屋内アンテナ２１にアンテナ帯域制御信号Ｓを送り、当該アンテナ２１の同調周波数を制御することができる。特に、テレビジョンチューナ２４は、屋外アンテナ２５で放送信号を受信する場合、屋内アンテナ２１をトラッキングフィルタとして機能させ、テレビジョンチューナ２４における不要な周波数信号がテレビジョンチューナ２４に流入しないように制御する。例えば、屋内アンテナ２１を使用する場合には、当該アンテナ２１を受信する信号の周波数に同調させる一方、屋外アンテナ２５を使用する場合、アンテナ２１を受信する信号の周波数に対するイメージ周波数に同調させるようにアンテナ帯域制御信号Ｓを送出する。これにより、屋外アンテナ２５で放送信号を受信する場合には、アンテナ２１がイメージ周波数に同調されるので、妨害信号となるイメージ周波数信号はアンテナ２１側に流入して減衰され、テレビジョンチューナ２４側への流入が防止される。
【００２５】
次に、本実施の形態に係る信号受信装置１０の作用について説明する。
放送波の電界強度が弱い場所では、信号受信品質レベルを向上させるべく屋外アンテナを使用するので、図１に示すようにアンテナ２５を入力端子２６に接続する。アンテナ２５で受信されたテレビジョン信号は、信号経路Ｌ１を介してＬＮＡ２２に出力され、ＬＮＡ２２で所定レベルまで増幅された後、テレビジョンチューナ２４に出力される。このとき、屋内アンテナ２１には、テレビジョンチューナ２４から同調周波数をイメージ周波数に設定するためのアンテナ帯域制御信号Ｓが入力されているので、アンテナ２１のインピーダンスが下がるように周波数制御された状態になっている。従って、アンテナ２５の受信信号に含まれるイメージ周波数信号は、信号経路Ｌ１を介してアンテナ２１に出力され、ＬＮＡ２２には所望の信号のみが出力されることになる。一方、放送波の電界強度が強い場所では、屋外アンテナを使用しなくても信号受信品質レベルを維持できるので、図２に示すように屋外アンテナ２５をＬＮＡ２２と非接続状態にする。そして、屋内アンテナ２１で受信されたテレビジョン信号は、ＬＮＡ２２に出力され所定レベルまで増幅された後、テレビジョンチューナ２４に出力される。ここで、屋外アンテナ２５とＬＮＡ２２との非接続方法としては、屋外アンテナ２５を入力端子２６から取り外す他、中間点Ｐにアンテナ２５の接続・非接続を切り換えるスイッチ部を設けるようにしてもよい。
【００２６】
図４及び図５は、屋外アンテナ２５で受信した場合のテレビジョンチューナ２４の信号通過特性を示す特性図である。図４は、受信チャンネル周波数が４７３ＭＨｚの場合の通過特性を示し、図５は、受信チャンネル周波数が５８０ＭＨｚの場合の通過特性を示している。両図において、実線（Ｗ１，Ｗ３）はテレビジョンチューナ２４の通過特性を示し、点線（Ｗ２，Ｗ４）はテレビジョンチューナ２４側から見た反射特性を示している。図４に示すＷ１からからわかるように、受信チャンネル周波数４７３ＭＨｚでロスが最少となり、イメージ周波数でトラップが形成され、イメージ周波数が除去されている。同様に、図５に示すＷ３は、受信チャンネル周波数５８０ＭＨｚでロスが最少となり、イメージ周波数でトラップが形成され、イメージ周波数が除去されている。  
【００２７】
このように、本実施の形態によれば、ＳＴＢ（収納部）１１に屋内アンテナ２１、ＬＮＡ２２及びテレビジョンチューナ２４が設置されると共に、外部設置用の屋外アンテナ２５が取り付け可能な入力端子２６が設けられているので、放送波の電界強度が強い場所でも弱い場所でも、装置構成を大幅に変える必要なく、簡易な装置構成により所望の放送信号を受信することができる。特に、放送波の電界強度が弱い場合に、屋外アンテナ２５で放送信号を受信する際には、アンテナ２１を、アンテナ２１の受信する周波数のイメージ周波数に同調することによりトラッキングフィルタとして機能させるので、テレビジョンチューナ２４側へのイメージ周波数信号の入力をカットし、所望の放送信号のみを確実に受信することができる。また、従来の受信装置と比べた場合、アンテナ２１，２５及びテレビジョンチューナ２４にそれぞれ設けられるＬＮＡ２２やアンテナ２１，２５及びテレビジョンチューナ２４を接続するケーブル２３等の部品点数を削減することができる。
【００２８】
また、本発明は上記実施の形態に限定されず、種々変更して実施することが可能である。上記実施の形態にいて、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００２９】
本発明は、テレビジョン放送等の放送信号を受信する放送波受信装置に適用可能である。
【図面の簡単な説明】
【００３０】
【図１】本発明の実施の形態に係るテレビジョン信号受信装置を示す模式図である。
【図２】本発明の実施の形態に係るテレビジョン信号受信装置を示す模式図である。
【図３】一般的なチューナブルアンテナの回路構成図である
【図４】テレビジョンチューナにおける信号通過特性を示す特性図である。
【図５】テレビジョンチューナにおける信号通過特性を示す特性図である。
【図６】従来のテレビジョン信号受信装置を示す模式図である。
【図７】従来のテレビジョン信号受信装置を示す模式図である。
【符号の説明】
【００３１】
１０  テレビジョン信号受信装置
１１  セットトップボックス（収納部）
１２  電源供給装置
１３  表示装置
２１  屋内アンテナ（第１のアンテナ）
２２  ＬＮＡ
２３  ケーブル（テレビジョンケーブル）
２４  テレビジョンチューナ
２５  屋外アンテナ（第２のアンテナ）
２６  入力端子
２７  電源端子
２８  ケーブル（電源ケーブル）
３１  ミキサ
３２  局部発振器
３３  復調部
Ｌ１  信号経路
Ｌ２  電源供給ライン
Ｐ  中間点
【図１】
2010057065.tif 000003
【図２】
2010057065.tif 000004
【図３】
2010057065.tif 000005
【図４】
2010057065.tif 000006
【図５】
2010057065.tif 000007
【図６】
2010057065.tif 000008
【図７】
2010057065.tif 000009